(57)【要約】【課題】建物の仕上面間の目地幅が不均一である場合であっても、外観を損なうことなく目地を覆うことができる見切り材及び見切り構造を提供する。【解決手段】建物１０の外壁パネル１１，１２間には、目地としての間隙部１８が形成されている。間隙部１８には取付部材２１が設けられている。取付部材２１には見切り材２０が取り付けられている。見切り材２０は見切り本体２４と一対の幅調整部材２５，２６とを有している。見切り本体２４は、鉛直板状の本体部２７とその本体部２７の上下方向における略中央部から屋内側に延びる脚部２８とを有する。見切り材２０は、脚部２８が取付部材２１に挿入されることにより取り付けられている。本体部２７の上部及び下部には係止部３１が一体に設けられている。幅調整部材２５，２６は本体部２７と係止部３１との間に囲まれた空間に挿し込まれることで上下方向に位置調整可能に取り付けられている。【選択図】図１
2009293237.tif 000002
【特許請求の範囲】
【請求項１】
建物の仕上面間の目地を覆う見切り材であって、
前記目地に沿って延びるように形成され、前記目地に目地露出側から挿入され取り付けられる脚部と、
前記脚部の基端部から当該目地を挟んだ両側の仕上面に跨って形成されている見切り部と
を備えており、
前記見切り部は、当該目地の幅方向に幅調整が可能とされていることを特徴とする見切り材。
【請求項２】
前記目地に対する前記脚部の挿し込み深さが調整可能とされているとともに、前記見切り部はその幅方向両端部に近づくにつれて前記仕上面側に指向されるように湾曲形成されるとともに仕上面と接離する方向への弾力性を有した湾曲部を備えている請求項１に記載の見切り材。
【請求項３】
前記見切り部は、前記脚部と一体化されている本体部と、
前記脚部を挟んだ両側に設けられ前記目地の幅方向に位置調整が可能とされている一対の幅調整部と
を備えており、
前記見切り部の幅は、前記各幅調整部が前記本体部に対して前記目地の幅方向に位置調整されることで調整される請求項１又は２に記載の見切り材。
【請求項４】
前記本体部の前記脚部を挟んだ両側かつ前記本体部の前記仕上面と向き合う面には、前記各幅調整部材を段階的に位置調整するとともに各位置において前記各幅調整部材に係合される係合部が設けられている請求項３に記載の見切り材。
【請求項５】
建物の仕上面間に形成される目地と、
請求項２に記載の見切り材と、
前記目地に設けられ、当該目地に沿って延びるように形成されるとともに、目地露出側に開口し前記脚部が挿し込み深さを調整可能に挿入される挿入部を有する脚受け部と、
を備えていることを特徴とする見切り構造。
【請求項６】
前記脚部及び前記脚受け部には上下方向に貫通する貫通孔が形成されており、前記脚部の挿し込み深さにかかわらず前記脚部及び前記脚受け部の貫通孔同士が連通される請求項５に記載の見切り構造。
【発明の詳細な説明】
【技術分野】
【０００１】
本発明は、建物の目地の露出を防止する見切り材及び見切り構造に関する。
【背景技術】
【０００２】
一般に建物の外壁パネル間などに形成される目地には、目地に沿って見切り材が設けられており、目地が外部に露出しないように外観を考慮した処理がされている。この種の見切り材としては、断面Ｔ字状をなした長尺状の弾性体により形成されたガスケットからなるものが知られている。このガスケットはＴ字状の中央部に設けられた脚部を目地に圧入することにより取り付けられるものであり、脚部の基端部において広がる見切り部が目地を挟んだ両側の外壁パネルの外壁面に接するように取り付けられる（例えば、特許文献１）。
【０００３】
しかしながら、外壁パネルの組み付け誤差等により目地を挟んだ両側の外壁パネルの外壁面に段差が生じている場合には、ガスケットがこの段差を吸収することができずにゆがんだ状態で取り付けられ外観を損なうという問題があった。
【０００４】
そこで、この問題を解決しようとするものとして、ガスケットの頂部（詳細には、脚部の基端側の端部）にＶ字溝を形成し、そのＶ字溝にＴ字型のくさびの脚部を圧入することでＶ字溝を押し開くとともにガスケットの見切り部を外壁面側に押圧し、見切り部の端縁部を外壁パネルの外壁面に接触させる技術が提案されている（例えば、特許文献２）。これによれば、目地を挟んだ両側の外壁パネルの外壁面に段差が生じている場合であっても、見切り部の端縁部のみが柔軟に変形し両外壁パネルの外壁面に接触するため、ガスケット全体では大きな変形を生じることはない。したがって、外観を著しく損なうことなく、ガスケットを目地に取り付けることが期待できる。
【特許文献１】実公昭５２−３８４３号公報
【特許文献２】特許第３１５２７６６号公報
【発明の開示】
【発明が解決しようとする課題】
【０００５】
しかしながら、外壁パネルの組み付け誤差等により外壁パネル間に形成される目地の幅が不均一に形成される場合も想定される。このような場合において上記特許文献２の技術では目地の全体を覆うことができない事態が生じうる。そのため、外観が著しく損なわれるおそれがある。また、目地の幅に応じてガスケットの幅を変更したものを各種用意しておくことも可能ではあるが、目地の幅は外壁パネルの組付誤差等により変動するものであるため現実的ではない。
【０００６】
さらに、タイル張り外壁の場合においては、隣接する外壁パネル間の目地幅を均一にする技術が提案されているが、この技術は予めパネル化された外壁にしか適用することができないため汎用性に欠ける。
【０００７】
本発明は、上記事情に鑑みてなされたものであり、建物の仕上面間に形成される目地の幅が不均一である場合であっても、外観を損なうことなく目地を覆うことができる見切り材及び見切り構造を提供することを主たる目的とするものである。
【課題を解決するための手段】
【０００８】
上記課題を解決すべく、第１の発明の見切り材は、建物の仕上面間の目地を覆う見切り材であって、前記目地に沿って延びるように形成され、前記目地に目地露出側から挿入され取り付けられる脚部と、前記脚部の基端部から当該目地を挟んだ両側の仕上面に跨って形成されている見切り部とを備えており、前記見切り部は、当該目地の幅方向に幅調整が可能とされていることを特徴とする。
【０００９】
本発明によれば、建物の仕上面間に形成される目地に、目地に沿って延びるように形成される見切り材の脚部を挿入することにより見切り材を取り付けることができる。そして、見切り材は、脚部の基端部から目地を挟んだ両側の仕上面に跨って形成される見切り部の幅を目地の幅方向に調整することができるため、目地の幅が不均一に形成されている場合であっても外観を損なうことなく目地を覆うことができる。
【００１０】
第２の発明の見切り材は、第１の発明において、前記目地に対する前記脚部の挿し込み深さが調整可能とされているとともに、前記見切り部はその幅方向両端部に近づくにつれて前記仕上面側に指向されるように湾曲形成されるとともに仕上面と接離する方向への弾力性を有した湾曲部を備えていることを特徴とする。
【００１１】
本発明によれば、目地に対する脚部の挿し込み深さを調整することができるため、見切り材の取り付け位置を目地奥行き方向に調整することができる。そして、見切り部は、その幅方向両端部が仕上面側に指向されるように湾曲形成された湾曲部を備えており、その湾曲部は仕上面側に弾性変形が可能となっている。そのため、脚部を目地に目地露出側から挿し込むことにより見切り部を仕上面側に位置調整することで湾曲部を仕上面により湾曲部が展開する側に弾性変形させることができ、湾曲部の先端部を仕上面に当接させることができる。したがって、目地を挟んだ両側の仕上面間に段差が生じている場合であっても湾曲部の弾性変形によりその段差を吸収し、湾曲部の先端部を確実に両仕上面に接触させることができるため、見切り材を仕上面との間に隙間を発生させることなく取り付けることができる。
【００１２】
第３の発明の見切り材は、第１又は第２の発明において、前記見切り部は、前記脚部と一体化されている本体部と、前記脚部を挟んだ両側に設けられ前記目地の幅方向に位置調整が可能とされている一対の幅調整部とを備えており、前記見切り部の幅は、前記各幅調整部が前記本体部に対して前記目地の幅方向に位置調整されることで調整されることを特徴とする。
【００１３】
本発明によれば、脚部と一体化されている本体部に対して各幅調整部を目地の幅方向に位置調整することにより見切り部の幅を調整することができるため、第１の発明の効果を具体的に実現することができる。
【００１４】
第４の発明の見切り材は、第３の発明において、前記本体部の前記脚部を挟んだ両側かつ前記本体部の前記仕上面と向き合う面には、前記各幅調整部を段階的に位置調整するとともに各位置において前記各幅調整部に係合される係合部が設けられていることを特徴とする。
【００１５】
本発明によれば、本体部の脚部を挟んだ両側かつ本体部の前記仕上面と向き合う面に設けられている係合部により幅調整部を段階的に位置調整することができるとともに、その位置調整した位置において幅調整部を係合させることができる。これにより、幅調整部を本体部に対して位置調整した上で固定することができるため、見切り部の幅をその（初期）調整した幅に維持したまま見切り材を長期間使用することができる。また、係合部は本体部の前記仕上面と向き合う面に設けられているため、外部からは係合部が見えないようにされている、したがって、外観を損なうことなく上記の効果を得ることができる。
【００１６】
さらに、本体部の係合部をラチェット歯（又はラチェット爪）により形成し、各幅調整部を周知のラチェット機構によりラチェット歯に係止される構成とすれば、幅調整部を目地の幅方向に位置調整することによりその位置調整された位置においてラチェット機構により本体部に対し固定することができる。これにより、幅調整部の本体部に対する取り付け作業及び位置調整作業を容易とすることができるため、施工時における作業負荷の軽減を図ることができる。
【００１７】
第５の発明の見切り構造は、建物の仕上面間に形成される目地と、第２の発明の見切り材と、前記目地に設けられ、当該目地に沿って延びるように形成されるとともに、目地露出側に開口し前記脚部が挿し込み深さを調整可能に挿入される挿入部を有する脚受け部と、を備えていることを特徴とする。
【００１８】
本発明によれば、建物の仕上面間に形成される目地に設けられた脚受け部の挿入部に見切り材の脚部を目地露出側から挿入することができる。そして、挿入部への脚部の挿し込み深さを調整することができるため、見切り材の取り付け位置を目地奥行き方向に調整することができる。これにより、目地幅の大きさの如何にかかわらず、第２の発明の効果を得ることができる。
【００１９】
また、脚受け部の挿入部の内側面に脚部を段階的に位置調整するとともに各位置において脚部に係合される係合部を設ければ、その係合部により脚部（ひいては見切り材）の位置を段階的に調整することができ、その調整した位置において脚部を係合させることができる。これにより、見切り材を脚受け部に対して固定することができるため、湾曲部の弾性力や風雨等の外乱に起因する見切り材の位置ずれを防止することができる。さらに、この場合、係合部をラチェット歯（又はラチェット爪）により形成し、脚部をラチェット機構によりラチェット歯に係止される構成とすれば、脚部を挿入部に挿し込むことにより見切り材を目地奥行き方向に位置調整することで、見切り材をその位置調整された位置においてラチェット機構により脚受け部に対し固定することができる。これにより、見切り材の取り付け作業及び位置調整作業を容易とすることができるため、施工時における作業負荷の軽減を図ることができる。
【００２０】
第６の発明の見切り構造は、第５の発明において、前記脚部及び前記脚受け部には上下方向に貫通する貫通孔が形成されており、前記脚部の挿し込み深さにかかわらず前記脚部及び前記脚受け部の貫通孔同士が連通されることを特徴とする。
【００２１】
本発明によれば、脚部及び脚受け部に形成されている上下方向に貫通する貫通孔同士を脚部の挿し込み深さにかかわらず連通させることができるため、脚部の上端部と仕上面との間及び脚部と脚受け部との間に雨水等の水が浸入しても脚部の挿し込み深さにかかわらず水を下方に導くことができる。これにより、脚部の上端部と仕上面との間及び脚部と脚受け部との間に水が滞留するのを防止することができるため、水の腐敗に伴う汚れや異臭等の発生を防止することができる。
【発明を実施するための最良の形態】
【００２２】
以下に、一実施の形態について図面を参照しつつ説明する。なお、図１は上下外壁パネル間の構造を示す縦断面図、図２は壁間見切り構造の構成を示す縦断面図、図３は取付部材の導水孔を示す斜視図である。
【００２３】
図１に示すように、本実施形態の建物１０は、下階には下階外壁パネル１１が設けられるとともに、上階には上階外壁パネル１２が設けられ、外壁の一部が構成されている。上下両外壁パネル１１，１２は、いずれも建物の外壁面を形成する外壁板１３，１４と、その背面側に固定されたフレーム１５，１６とから構成されている。外壁板１３，１４は、建物の外観を決定付ける外壁仕上材であって、意匠性を高めるべく表面（仕上面）に例えば凹凸模様等が施され、かつ耐候性に優れたコンクリートやセラミック等の素材で形成されている。なお、外壁板１３，１４は、基板にタイルを貼った複合仕上材により形成してもよい。
【００２４】
フレーム１５，１６は、例えばスチール等の高剛性金属等からなる。フレーム１５，１６は、略コ字状断面を有する長尺状のフレーム材が外壁板１３，１４の周縁に沿って枠状に配置されることにより構成されている。フレーム１５，１６は、その剛性の高さによって外壁パネル１１，１２自身の強度を高めるとともに建物１０の骨組の一部を構成する梁１７に対しボルト等により連結されている。
【００２５】
また、本実施形態では、下階外壁パネル１１の外壁面と上階外壁パネル１２の外壁面との間に屋内外方向における所定の段差Lが生じているものと仮定する。
【００２６】
このようにして建物１０に配置された下階外壁パネル１１の上端部と上階外壁パネル１２の下端部との間には、横目地としての間隙部１８が形成されている。そして、この間隙部１８を覆うように外壁パネル１１，１２間には化粧見切り材である見切り材２０が設けられている。
【００２７】
次に、この間隙部１８の露出を防止する壁間見切り構造について詳細に説明する。
【００２８】
間隙部１８には、見切り材２０を取り付けるための取付部材２１が設けられている。取付部材２１は、間隙部１８に沿って延びるように形成されており、例えばＡＢＳ等の耐候性に優れた樹脂よりなる。取付部材２１は、図２に示すように、全体としては縦断面略コ字状をなしており、薄板状の鉛直板部２２とその鉛直板部２２の上下方向両端部からそれぞれ屋外側に同じ距離だけ延びる上下一対の係止部２３とからなる。
【００２９】
取付部材２１は、上階フレーム１６を構成するフレーム材のうち上階外壁パネル１２の下端部に配置されたフレーム材（以下、下端フレーム材１６ａという）に取り付けられている。下端フレーム材１６ａは、コ字状開口部を下側に向けて上階外壁板１４の下端部に設けられており、その屋外側（上階外壁板１４側）の鉛直板部が上階外壁板１４の下端部よりも下方に延出している。そして、その延出した延出部１６ｂの屋外側鉛直面に取付部材２１の鉛直板部２２が当接し、その当接部位においてビス２９により取り付けられている。これにより、取付部材２１は、下端フレーム材１６ａに対して固定されている。
【００３０】
なお、取付部材２１を構成する鉛直板部２２と一対の係止部２３とにより囲まれるコ字状空間を以下、開口空間３４という。
【００３１】
上階外壁パネル１２の下端部背面側には、防水シート３０の上端部が配設されている。防水シート３０は、上階外壁パネル１２の下端部に沿った横長状とされ、柔軟性を有している。防水シート３０は、上階外壁板１４の背面側下端部と下端フレーム材１６ａの屋外側鉛直面との間及び取付部材２１の屋内側端部と下端フレーム材１６ａの屋外側鉛直面との間に挟み込まれており、前記ビス２９により貫通された状態で取り付けられている。また、防水シート３０は、取付部材２１の下端部と下階外壁パネル１１の上端部との間を通じて屋外側に延び、その先端部において下方に折り曲げられ下階外壁パネル１１の外壁面に沿って下方に延びている。したがって、間隙部１８より屋内側へ雨水が浸入しても、その雨水は防水シート３０の表面を伝って下側外壁パネル１１の外壁面に導かれる。
【００３２】
図３に示すように、取付部材２１の各係止部２３には導水孔２３ｂが各係止部２３を上下方向に貫通するとともに屋外側に開口するように形成されている。導水孔２３ｂは、取付部材２１の長手方向に沿って所定の間隔で複数形成されており、上下の各係止部２３に形成された導水孔２３ｂはそれぞれ対応する位置関係にある。これにより、上階外壁パネル１２の下端部と取付部材２１の上端部との間に雨水が浸入しても、上側の係止部２３に形成された導水孔２３ｂを介して雨水を開口空間３４へ導くことができる。そして、開口空間３４へ導かれた雨水を下側の係止部２３に形成された導水孔２３ｂを介して防水シート３０の表面上に導くことができる。
【００３３】
取付部材２１の各係止部２３の内側面（対向面）には、係止手段としてのラチェット爪２３ａが形成されている。ラチェット爪２３ａは、取付部材２１の長手方向（間隙部１８の延びる方向）に沿って延びており、係止部２３の短手方向（屋内外方向）に沿って複数かつ等間隔で形成されている。
【００３４】
取付部材２１には、見切り材２０が取り付けられている。見切り材２０は、見切り本体２４と一対の幅調整部材２５，２６とから構成されている。見切り本体２４は、取付部材２１の長手方向に沿って延びる鉛直板状の本体部２７と、その本体部２７の上下方向における略中央部から屋内側に延びる脚部２８とを有する。
【００３５】
脚部２８の上端部及び下端部には係止手段としてのラチェット歯２８ａが形成されている。ラチェット歯２８ａは見切り本体２４の長手方向に沿って延びており、屋内外方向に沿って複数かつ等間隔で形成されている。見切り本体２４（ひいては見切り材２０）は、この脚部２８が取付部材２１の開口空間３４に挿し込まれることによりラチェット歯２８ａが取付部材２１のラチェット爪２３ａに係止されることで、取付部材２１に取り付けられている。これにより、見切り材２０は、脚部２８の開口空間３４への挿し込み深さを調整することにより屋内外方向に取付位置を調整可能とされている。
【００３６】
脚部２８には、上下方向に脚部２８を貫通する導水孔２８ｂが長手方向に沿って複数所定の間隔で形成されている。導水孔２８ｂは、脚部２８の挿し込み深さにかかわらず取付部材２１の各係止部２３に形成された導水孔２３ｂと上下方向に連通するように形成されている。これにより、脚部２８の挿し込み深さにかかわらず、上階外壁パネル１２の下端部と取付部材２１の上端部との間及び脚部２８の上端部に形成されたラチェット歯２８ａと取付部材２１に形成されたラチェット爪２３ａとの間に雨水が浸入した場合には、各導水孔２３ｂ，２８ｂを介して雨水を下方に導くことができ、ひいては下側の係止部２３に形成された導水孔２３ｂを介して防水シート３０の表面上に導くことができる。そして、前述したように防水シート３０の表面上に導かれた雨水は取付部材２１の下端部と防水シート３０との間を介して屋外側へ導かれる。なお、本実施形態では、少なくとも複数のラチェット歯２８ａがラチェット爪２３ａに係止されることにより脚部２８が取付部材２１に取り付けられるように設計されている。
【００３７】
本体部２７の上部及び下部には、一対の係止部３１が一体に設けられている。各係止部３１は、それぞれ屋内側に同じ距離だけ延びる水平部３２と、水平部３２の先端部から互いに上下方向反対側を向けて離間するように延びる鉛直部３３とを有する。鉛直部３３の屋外側面には係止手段としてのラチェット爪３３ａが形成されている。ラチェット爪３３ａは、見切り本体２４の長手方向に沿って延びるように複数形成されている。
【００３８】
本体部２７の上下方向両端部はそれぞれ屋内側に湾曲された湾曲部２７ａとなっている。各湾曲部２７ａは、屋内外方向への十分な弾力性を有しており、先端部が係止部３１の屋内側端部よりも屋内側に位置するように湾曲形成されている。
【００３９】
係止部３１と本体部２７とに囲まれた各空間（以下、挿入空間３５という）には、それぞれ幅調整部材２５，２６が挿し込まれ取り付けられている。幅調整部材２５，２６は、弾力性を有する樹脂よりなり、見切り本体２４の長手方向に沿って延びるように形成されている。上側幅調整部材２５は、鉛直板状に形成された平板部２５ａと、その平板部２５ａの上端部から上昇するとともに屋内側に湾曲された湾曲部２５ｂとを有している。平板部２５ａと湾曲部２５ｂとは一体形成されており、少なくとも湾曲部２５ｂは屋内外方向への十分な弾力性を有している。一方、下側幅調整部材２６は、鉛直板状に形成された平板部２６ａと、その平板部２６ａの下端部から下降するとともに屋内側に湾曲された湾曲部２６ｂとを有している。なお、平板部２６ａと湾曲部２６ｂとは一体形成されており、少なくとも湾曲部２６ｂは屋内外方向への十分な弾力性を有している。
【００４０】
本体部２７の各湾曲部２７ａの先端部はそれぞれ自身の復帰弾性力により幅調整部材２５，２６の屋外面に当接されている。これにより、各湾曲部２７ａの先端部は、見切り本体２４（詳細には、本体部２７）と各幅調整部材２５，２６との間から見切り材２０の内側空間へ水が浸入するのを防止するシール部として機能している。
【００４１】
各幅調整部材２５，２６の平板部２５ａ，２６ａの屋内側面には、係止手段としてのラチェット歯２５ｃ，２６ｃが形成されている。ラチェット歯２５ｃ，２６ｃは、幅調整部材２５，２６の長手方向に沿って延びるように複数かつ等間隔で形成されている。幅調整部材２５，２６は、平板部２５ａ，２６ａが挿入空間３５に挿入されることによりラチェット歯２５ｃ，２６ｃが見切り本体２４の係止部３１のラチェット爪３３ａに係止されることで見切り本体２４に取り付けられている。これにより、幅調整部材２５，２６は、見切り本体２４に対して上下方向に取付位置を調整可能とされているとともに脱着可能とされている。
【００４２】
また、見切り本体２４と各幅調整部材２５，２６との係合部は、すなわち見切り本体２４の各係止部３１及び各係止部３１に係止される幅調整部材２５，２６のラチェット歯２５ｃ，２６ｃは、見切り本体２４の本体部２７と外壁パネル１１，１２の外壁面との間の狭小空間に収容されるように配置されている。したがって、外部からは見切り本体２４と各幅調整部材２５，２６との係合部が見えないようになっている。これにより、上記係合部を設けたことに伴い美観が損なわれるのを防止している。
【００４３】
上側幅調整部材２５の湾曲部２５ｂの先端部は自身の復帰弾性力により上階外壁パネル１２の外壁面に当接されており、下側幅調整部材２６の湾曲部２６ｂの先端部は自身の復帰弾性力により下階外壁パネル１１の外壁面に当接されている。詳細には、各湾曲部２５ｂ，２６ｂは、見切り材２０が取付部材２１に挿し込まれることにより外壁パネル１１，１２の外壁面により屋外側に弾性変形され自然状態より伸びきった状態となっており、その結果、各湾曲部２５ｂ，２６ｂの先端部は外壁パネル１１，１２の外壁面に対して当接されている。
【００４４】
また、下側幅調整部材２６には湾曲部２６ｂの先端部に排水手段としての排水部２６ｄが切欠き状に形成されている。排水部２６ｄは、下側幅調整部材２６の長手方向に沿って所定の間隔で複数形成されている。これにより、雨水が見切り材２０と外壁パネル１１，１２との間に浸入した場合であっても雨水を排水部２６ｄを介して屋外側へ排出することができる。
【００４５】
以上、詳述した本実施形態の構成によれば、以下の優れた効果が得られる。
【００４６】
幅調整部材２５，２６は、見切り本体２４に対して上下方向に取付位置を調整可能とされている。これにより、見切り材２０の上下幅を調整することができるため、外壁パネル１１，１２間に形成される間隙部１８の幅が不均一である場合でも外観を損なうことなく間隙部１８を覆うことができる。
【００４７】
幅調整部材２５，２６は、平板部２５ａ，２６ａが見切り本体２４の挿入空間３５に挿入されることによりラチェット歯２５ｃ，２６ｃが係止部３１のラチェット爪３３ａに係止されることで見切り本体２４に取り付けられる。これにより、幅調整部材２５，２６を見切り本体２４に対して位置調整した上で固定することができるため、見切り材２０の幅をその（初期）調整した幅に維持したまま見切り材２０を長期間使用することができる。また、幅調整部材２５，２６の見切り本体２４に対する取り付け及び取付位置の調整が容易となるため、施工時における作業負荷の軽減を図ることができる利点もある。
【００４８】
見切り材２０は、脚部２８の開口空間３４への挿し込み深さを調整することにより屋内外方向に取付位置を調整可能とされている。また、見切り材２０の各幅調整部材２５，２６は、弾力性を有する樹脂よりなるとともに、先端部が屋内側に湾曲された湾曲部２５ｂ，２６ｂを有している。したがって、見切り材２０の取付位置を屋内側に調整することにより幅調整部材２５，２６の湾曲部２５ｂ，２６ｂの先端部を外壁パネル１１，１２の外壁面に接触させることができ、さらには湾曲部２５ｂ，２６ｂを外壁パネル１１，１２の外壁面により屋外側に弾性変形させることができる。これにより、下階外壁パネル１１の外壁面と上階外壁パネル１２の外壁面との間の段差Lを湾曲部２５ｂ，２６ｂの弾性変形により吸収することができるため、外壁パネル１１，１２の外壁面間に段差Ｌが生じている場合であっても湾曲部２５ｂ，２６ｂの先端部を確実に外壁パネル１１，１２の外壁面に接触させることができる。よって、見切り材２０を外壁パネル１１，１２との間に隙間を発生させることなく取り付けることができる。
【００４９】
見切り材２０は、見切り本体２４の脚部２８が取付部材２１の開口空間３４に挿し込まれることによりラチェット歯２８ａが取付部材２１のラチェット爪２３ａに係止されることで取付部材２１に取り付けられている。また、見切り材２０は、脚部２８の開口空間３４への挿し込み深さを調整することにより屋内外方向に取付位置を調整可能とされている。これらにより、見切り材２０の取付部材２１に対する取り付け及び取付位置の調整が容易となるため、施工時における作業負荷の軽減を図ることができる。
【００５０】
防水シート３０は、上端部が上階外壁板１４の背面側下端部と下端フレーム材１６ａの屋外側鉛直面との間及び取付部材２１の屋内側端部と下端フレーム材１６ａの屋外側鉛直面との間に挟み込まれており、下端側が取付部材２１の下端部と下階外壁パネル１１の上端部との間を通じて屋外側に延び、その先端部において下方に折り曲げられて形成されている。これにより、雨水等の水が間隙部１８に浸入しても防水シート３０により屋内側に浸入するのを防止することができる。
【００５１】
下側幅調整部材２６には湾曲部２６ｂの先端部に排水部２６ｄが形成されているため、見切り材２０と外壁パネル１１，１２との間に雨水が浸入しても排水部２６ｄを介して屋外側へ排出することができる。これにより、雨水が見切り材２０と外壁パネル１１，１２との間に滞留するのを防止することができるため、雨水の腐敗に伴う汚れや異臭の発生を防止することができる。
【００５２】
取付部材２１の各係止部２３には導水孔２３ｂが各係止部２３を上下方向に貫通するとともに屋外側に開口するように形成されている。一方、脚部２８には上下方向に脚部２８を貫通する導水孔２８ｂが脚部２８の挿し込み深さにかかわらず貫通孔２３ｂ，２８ｂ同士が連通するように形成されている。これにより、脚部２８の挿し込み深さにかかわらず、上階外壁パネル１２の下端部と取付部材２１の上端部との間及び脚部２８に形成されたラチェット歯２８ａと取付部材２１に形成されたラチェット爪２３ａとの間に雨水が浸入した場合には各導水孔２３ｂ，２８ｂを介して雨水を下方に導くことができ、ひいては防水シート３０の表面上に沿って屋外側へ導くことができる。その結果、上記部材間に雨水が滞留するのを防止することができるため、雨水が屋内側に浸入する可能性を低減させることができるとともに滞留した雨水の腐敗に伴う汚れや異臭の発生を防止することができる。
【００５３】
幅調整部材２５，２６は、見切り本体２４に対して脱着可能とされている。これにより、見切り材２０は、幅調整部材２５，２６を取り外した見切り本体２４単品としても使用することが可能となっている。したがって、外壁パネル１１，１２間に形成される間隙部１８の幅が均一である場合には、見切り本体２４のみ取り付けて使用することができる。また、見切り本体２４は屋内側に湾曲され、かつ、屋内外方向への弾力性を有する湾曲部２７ａを有している。湾曲部２７ａは先端部が係止部３１の屋内側端部よりも屋内側に位置するように湾曲形成されているため、湾曲部２７ａの先端部を自身の復帰弾性力により外壁パネル１１，１２の外壁面に当接させた状態で取り付けることができる。これにより、見切り材２０を見切り本体２４単品として使用する場合においても外壁パネル１１，１２の外壁面間に生じる段差Ｌを吸収することができるため、見切り材２０としての見切り本体２４を外壁パネル１１，１２との間に隙間を発生させることなく取り付けることができる。
【００５４】
本発明は上記実施形態に限らず、例えば次のように実施されてもよい。
【００５５】
（１）上記実施形態では、幅調整部材２５，２６が見切り本体２４の挿入空間３５に挿入されることによりラチェット歯２５ｃ，２６ｃが見切り本体２４のラチェット爪３３ａに係止されることで見切り本体２４に取り付けられる構成としたが、これを変更してもよい。例えば、図４に示すように見切り本体５１には挟持部５２を一体に設ける一方、幅調整部材５３には挟持部５２に挟持される突起部５４を一体に設け、突起部５４が挟持部５２に挟持されることにより幅調整部材５３が見切り本体５１に取り付けられる構成としてもよい。具体的には、見切り本体５１の本体部５５の上部及び下部には屋内面側に複数の挟持部５２を本体部５５の短手方向（上下幅方向）に沿って所定の間隔で設ける。そして、幅調整部材５３の平板部５６の屋外面側には複数の突起部５４を幅調整部材５３の短手方向（上下幅方向）に沿って上記挟持部５２の配置間隔と同一の間隔で設ける。そうすれば、幅調整部材５３の各突起部５４の挟持位置を上下に変位させることにより幅調整部材５３の取付位置を上下に調整することが可能となる。これにより、上記実施形態と同様、見切り材５０の上下幅を調整することができるため外壁パネル間１１，１２の間隙部１８の幅が不均一に形成されている場合であっても、外観を損なうことなく間隙部１８を覆うことができる。
【００５６】
また、見切り本体５１の本体部５５の上下方向両端部はそれぞれ屋内側に湾曲形成された湾曲部５５ａとなっており、各湾曲部５５ａは屋内外方向への弾力性を有している。したがって、見切り本体５１の各湾曲部５５ａの先端部はそれぞれ自身の復帰弾性力により幅調整部材５３の屋外面に当接されている。これにより、各湾曲部５５ａの先端部は、見切り本体５１（詳細には本体部５５）と各幅調整部材５３との間から見切り材５０の内側空間へ水が浸入するのを防止するシール部として機能する。
【００５７】
また、幅調整部材５３は、見切り本体５１の挟持部５２による突起部５４の挟持又はその挟持の解除により見切り本体５１に対して脱着可能とされている。したがって、見切り材５０は、幅調整部材５３を取り外した見切り本体５１単品としても使用することが可能となっている。そして、見切り本体５１は屋内側に湾曲され、かつ、屋内外方向への弾力性を有する湾曲部５５ａを有しており、湾曲部５５ａは先端部が挟持部５２の屋内側端部よりも屋内側に位置するように湾曲形成されているため、湾曲部５５ａの先端部を自身の復帰弾性力により外壁パネル１１，１２の外壁面に当接させた状態で取り付けることができる。これにより、見切り材５０を見切り本体５１単品として使用する場合においても外壁パネル１１，１２の外壁面間に生じる段差Ｌを吸収することができ、見切り材５０としての見切り本体５１を外壁パネル１１，１２との間に隙間を発生させることなく取り付けることができる。
【００５８】
（２）上記実施形態では、見切り本体２４に対する幅調整部材２５，２６の取付位置を上下方向に調整することで見切り材２０の上下幅を調整する構成としたが、これを変更してもよい。例えば、図５に示すように、見切り本体６１の本体部６２の上部及び下部にそれぞれ蛇腹状に形成された一対の伸縮部６３を設け、これらの伸縮部６３を上下方向に伸び縮みさせることにより見切り本体６１の上下幅を、ひいては見切り材６０の上下幅を変更するようにしてもよい。そうすれば、幅調整部材２５，２６を不要とすることができる。
【００５９】
また、この場合、伸縮部６３の露出を防止するために見切り材６０にカバー部材６４を備えてもよい。カバー部材６４は、屋内外方向に延びる挿込脚部６５と挿込脚部６５の基端部から上下方向に延びるカバー部６６とからなる。一方、見切り本体６１には、屋外側において開口するとともに脚部６７の先端側に向けて延びるように形成される挿入孔６８を設ける。そして、その挿入孔６８にカバー部材６４の挿込脚部６５を挿し込むことによりカバー部材６４が取り付けられる。カバー部６６は、見切り本体６１の各伸縮部６３よりも上下方向先端側に延びるように形成されている。これにより、伸縮部６３の露出を防止することができるため、伸縮部６３を設けたことに伴い外観を損なうことを回避することができる。また、カバー部６６は、上下方向両端部において見切り本体６１側に湾曲しており、その先端部６９において見切り本体６１を外壁パネル１１，１２側に押えつけている。これにより、伸縮部６３を設けたことに伴い見切り本体６１の弾性力が低下した場合であっても確実に見切り本体６１の先端部を外壁パネル１１，１２の外壁面に接触させることができるため、外観が損なわれることはない。
【００６０】
（３）また、図６に示すように、見切り本体７１の上下方向両端部にそれぞれ一対の折り畳み部材７２を見切り材７０の長手方向に延びる回動軸７３を介して回動可能に取り付けることにより見切り材７０を構成してもよい。これにより、見切り本体７１に対して折り畳み部材７２を展開することができ、かつ折り畳むことができるため、見切り材７０の上下幅を大小切り替えることができる。
【００６１】
（４）また、見切り材８０を複数の部材を上下に連結することにより構成し、部材の連結数を増減させることで見切り材８０の上下幅を変更する構成としてもよい。この場合、図７に示すように、見切り材８０は、複数の見切りユニット８１を連結することにより構成される。見切りユニット８１は、第一見切り部８２と第二見切り部８３とからなり、これらが互いに嵌合しあうことにより連結されている。第一見切り部８２は、外壁パネル１１，１２の幅方向に沿って延びるように形成されており、全体としては縦断面略コ字状をなしている。一方、第二見切り部８３は、第一見切り部８２の長手方向に沿って延びるとともに縦断面コ字状に形成されたコ字状板部８４とコ字状板部８４の底板部８４ａから開口側に突起した突起部８５とからなる。この突起部８５が第一見切り部８２のコ字状開口部に挿入されて嵌合されることにより第一見切り部８２と第二見切り部８３とは連結され見切りユニット８１が構成される。
【００６２】
見切り材８０を構成する各見切りユニット８１は互いにビス８６により固定されることで連結されている。詳細には、第一見切り部８２の底板部８４ａがビス８６により他の見切りユニット８１に固定されることで連結されている。そして、ビス８６による固定後、第二見切り部８３が第一見切り部８２に取り付けられる。
【００６３】
見切り材８０の連結構成としては、間隙部１８において第一見切りユニット８１Ａが下端フレーム材１６ａの延出部１６ｂに取り付けられ、その第一見切りユニット８１Ａの屋外側面に第二見切りユニット８１Ｂが取り付けられる。そして、第二見切りユニット８１Ｂから上下方向に延びるように複数の見切りユニット８１が順次取り付けられることで見切り材８０は構成されている。したがって、第二見切りユニット８１Ｂから上下方向に連結する見切りユニット８１の個数を調整することにより見切り材８０の上下幅を調整することができる。これにより、外壁パネル間１１，１２の間隙部１８幅が不均一に形成されている場合であっても、外観を損なうことなく間隙部１８を覆うことができる。
【００６４】
（５）上記実施形態では、防水シート３０を上階外壁パネル１２の下端部裏面側に配設することにより屋内側への雨水の浸入防止を図ったが、上階外壁パネル１２の下端部と見切り材取付部材２１の上端部との間及び下階外壁パネル１１の上端部と見切り材取付部２１の上端部との間にそれぞれ弾力性を有する長尺状の止水材を圧縮状態で介在させることにより屋内側への雨水の浸入防止を図ってもよい。
【００６５】
（６）上記実施形態では、見切り材２０により覆われる目地として、下階外壁パネル１１の上端部と上階外壁パネル１２の下端部との間に形成される横目地としての間隙部１８を対象としたが、これ以外の目地を対象としてもよい。例えば、横目地ではなく縦目地を対象としたり、基礎の立ち上げ部上端と外壁パネル下端との間の目地を対象としたり、屋内側に生じる目地を対象としたりしてもよい。要するに、建物の仕上材間に生じる目地であればいずれをも対象とすることができる。
【００６６】
（７）上記実施形態では、取付部材２１の各係止部２３に導水孔２３ｂを屋外側に開口するように形成し脚部２８の挿し込み深さにかかわらず導水孔２３ｂと脚部２８の導水孔２８ｂとが上下方向に連通するようにしたが、導水孔２３ｂは必ずしも屋外側に開口するように形成する必要はない。但し、脚部２８の挿し込み深さによっては上階外壁パネル１２の下端部と取付部材２１の上端部との間に浸入した雨水を下方に導くことができない場合が想定され、その場合には雨水が上記部材間に滞留し雨水の腐敗による汚れや異臭が発生するおそれがある。その点を鑑みると、導水孔２３ｂは屋外側に開口するように形成するのが望ましい。
【図面の簡単な説明】
【００６７】
【図１】上下外壁パネル間の構造を示す縦断面図。
【図２】壁間見切り構造の構成を示す縦断面図。
【図３】取付部材の導水孔を示す斜視図。
【図４】別例における壁間見切り構造の構成を示す縦断面図。
【図５】別例における壁間見切り構造の構成を示す縦断面図。
【図６】別例における壁間見切り構造の構成を示す縦断面図。
【図７】別例における壁間見切り構造の構成を示す縦断面図。
【符号の説明】
【００６８】
１０…建物、１１…仕上材としての下階外壁パネル、１２…仕上材としての上階外壁パネル、１８…目地としての間隙部、２０…見切り材、２１…脚受け部としての取付部材、２３…係止部、２３ａ…ラチェット爪、２３ｂ…貫通孔としての導水孔、２４…本体部としての見切り本体、２５…幅調整部及び見切り部としての上側幅調整部材、２５ｂ…湾曲部、２５ｃ…ラチェット歯、２６…幅調整部及び見切り部としての下側幅調整部材、２６ｃ…ラチェット歯、２６ｄ…排水部、２７…見切り部としての本体部、２８…脚部、２８ａ…ラチェット歯、２８ｂ…貫通孔としての導水孔、３４…挿入部としての開口空間。
【図１】
2009293237.tif 000003
【図２】
2009293237.tif 000004
【図３】
2009293237.tif 000005
【図４】
2009293237.tif 000006
【図５】
2009293237.tif 000007
【図６】
2009293237.tif 000008
【図７】
2009293237.tif 000009